(57)【特許請求の範囲】
【請求項１】
調理器本体の適所に調理時間等の調理条件を入力操作する操作パネルを配置したものにおいて、この操作パネルは静電容量の変化から入力操作を検出する静電容量方式による操作パネルであり、この操作パネルの裏側に操作位置を示す操作キーを印刷していると共に、上記操作パネルの裏側適所に操作キーに対応して複数のランプを配置し、制御手段により上記操作キーの内、入力操作が必要な操作キーのみ表示させると共に、操作されたキーに対応するランプの発光色と次に操作を行なうキーに対応するランプの発光色とを異なる発光色で表示する様に上記ランプの点灯が制御される事を特徴とする加熱調理器。
【請求項２】
上記操作キーの内、同時に選択操作を行う操作キーを横並びに配置して複数の操作キーを縦・横マトリクス状に配置すると共に、操作キーの各行の左右に上記ランプを配置した事を特徴とする、上記請求項１に記載の加熱調理器。
【請求項３】
最初に入力操作を行う第１キー群を操作パネルの上部に配置し、これらのキー入力の後に操作を行うキー群を、上記第１キー群の下方に配置した事を特徴とする、上記請求項１〜２に記載の加熱調理器。
【発明の詳細な説明】
【技術分野】
【０００１】
本発明は、オーブンレンジや電子レンジ等の様に、調理時間等の調理条件を入力する操作パネルを備えた加熱調理器に関する。
【背景技術】
【０００２】
調理器用の操作パネルでは、操作パネルに配置した操作キーの操作手順が判り難いという問題があり、例えば特許文献１に示される様に、操作パネルに配置した操作スイッチに液晶シャッターを設け、操作に応じて設定するキーを表示する様に構成している。
【特許文献１】特開平９−３５８６３号公報
【発明の開示】
【発明が解決しようとする課題】
【０００３】
一方、上記特許文献１に記載の構成では、キー毎に液晶シャッターを設ける必要があり、操作キーの構造が複雑に成ると共に、具体的な構成について記載されていないが、各キーの入力操作を検出する検出手段が必要となり、操作キーのトータルコストが高価になるという問題がある。
【０００４】
そこで本発明は、比較的簡単な構成にて、調理の開始時には入力可能な特定のキーのみ表示し、入力時の操作性を向上する事を目的とする。
【課題を解決するための手段】
【０００５】
本発明の請求項１の構成は、調理器本体の適所に調理時間等の調理条件を入力操作する操作パネルを配置したものにおいて、この操作パネルは静電容量の変化から入力操作を検出する静電容量方式による操作パネルであり、この操作パネルの裏側に操作位置を示す操作キーを印刷していると共に、上記操作パネルの裏側適所に操作キーに対応して複数のランプを配置し、制御手段により上記操作キーの内、入力操作が必要な操作キーのみ表示させると共に、操作されたキーに対応するランプの発光色と次に操作を行なうキーに対応するランプの発光色とを異なる発光色で表示する様に上記ランプの点灯が制御される事を特徴とする。
【０００７】
本発明の請求項２の構成は、請求項１の構成において、同時に選択操作を行う操作キーを横並びに配置して複数の操作キーを縦・横マトリクス状に配置すると共に、操作キーの各行の左右にランプを配置して成るものである。
【０００８】
本発明の請求項３の構成は、請求項１〜２の構成において、最初に入力操作を行う第１キー群を操作パネルの上部に配置し、これらのキー入力の後に操作を行うキー群を、第１キー群の下方に配置して成るものである。
【発明の効果】
【０００９】
本発明の構成により、入力操作が可能なキーのみ表示する様に構成したことで、印刷等により操作パネルのパネル面全体に全てのキーを配置した場合に比較して、入力可能なキーを捜す時間を短縮し、操作性を大幅に向上させる事が出来るものである。
【００１０】
本発明の構成により、操作されたキーに対応するランプと、次に操作を行うキーに対応するランプとを異なる発光色で表示することで、操作を行うキーが明確に表示され、操作性を大幅に向上する事が出来るものである。
【００１１】
本発明の請求項２に記載の構成により、同じタイミングに選択して入力操作を行うキーを横並びに配置してこれらの左右にランプを配置したことで、ランプを複数のキーの発光に兼用し、部品点数の削減によるコストダウンを図る事が出来るものである。
【００１２】
本発明の請求項３に記載の構成により、入力操作の順番に応じて、上から下にキーを配列したことで、キーの入力操作も上から下向きに順次操作を行えば良く、操作性を向上する事が出来るものである。
【発明を実施するための最良の形態】
【００１３】
本発明による実施例を先ず図１に基づき説明すると、１は例えばシステムキッチン等に組み込んで使用する調理器本体で、前面に扉２を上下方向に開閉自在に枢支していると共に、この扉の横に隣接して操作パネル３を配置している。
【００１４】
図２は上記操作パネル３の実施例を示すもので、上部に液晶パネルや蛍光表示管等で構成した表示器４を配置していると共に、この表示器の下方に操作部５を設けている。
【００１５】
そして上記表示器４には、自動調理用の複数の自動メニュー６・・と、手動操作用の手動メニュー７・・と、温度や出力を表示する設定表示部８と、時間やタイマーを表示するタイマー部９等を配置している。
【００１６】
又上記操作部５は、非通電時には黒色等のスモークにより何も表示しない、着色した樹脂パネルや裏面に着色したガラス板等で構成していると共に、これらの裏面に操作位置を示す複数の操作キー１０・・を印刷している。これにより、調理器本体１を使用しない場合には、図１にて示す様に、上記操作パネル３の操作部５には何も表示しない様に構成している。
【００１７】
尚、上記表示器４の表示については、節電機能により、待機電力を低減させる場合には消灯して何も表示しない様に構成し、時計表示を行なう場合には、上記タイマー部９に時計表示を行なう様に構成しても良い。
【００１８】
一方、上記操作キー１０・・は、同時に表示させる操作キーを横並びに配置する様に構成しており、例えば実施例の場合には、キーロックを設定するロックキー２１と、音声の音量を設定する音声キー２２と、操作パネル３を傾斜或いは垂直に戻す操作パネルキー２３とを横並びに配置し、これらのキーの下方に自動調理メニューを選択設定する自動調理キー２４と、手動調理メニューを選択設定する手動調理キー２５と、調理の仕上がり状態を硬めや柔らかめに設定する仕上がりキー２６とを横並びに配置し、かつこれらのキーの下方に調理温度を設定する温度キー２７，２８を横並びに配置し、更にこれらのキーの下方に時間やタイマー時間を設定する３個の時間キー２９，３０，３１を横並びに配置し、これら時間キーの下方にスタートキー３２と取消しキー３３を配置している。
【００１９】
そして上記各キーの裏側には、図３にて示す様に、ロックキー２１と音声キー２２と操作パネルキー２３を同時に表示する第１導光板４０を配置し、自動調理キー２４と手動調理キー２５と仕上がりキー２６の裏側には、各々これらを個別に表示する第２，第３，第４導光板４１，４２，４３を配置し、温度キー２７，２８の裏側にはこれらを同時に表示する第５導光板４４を配置し、時間キー２９，３０，３１の裏側にはこれらを同時に表示する第６導光板４５を配置し、スタートキー３２と取消しキー３３の裏側にはこれらを個別に表示する第７，第８導光板４６，４７を配置している。
【００２０】
又、上記各導光板は略Ｌ字型或いは門型に形成し、これらの屈曲した下端面に対向して複数の色を発光するＬＥＤランプ４８・・を配置している。
【００２１】
更に、上記第１、第５、第６導光板４０，４４，４５では、同じタイミングで選択設定するロックキー２１，音声キー２２，操作パネルキー２３と、温度キー２７，２８と、時間キー２９，３０，３１を各々横並びに配置し、これらの導光板で複数の操作キーを同時に表示する様に構成したことで、操作キー毎に導光板を配置する場合に比較し、ＬＥＤランプ４８・・の個数を削減し、コストダウンを図る事が出来るものである。
【００２２】
尚、４９は各操作キー１０・・の入力操作を検出する操作基板で、例えばＵＳＰ５，７３０，１６５、ＵＳＰ６，４５２，５１４、ＵＳＰ６，４６６，０３６に記載の静電容量方式により行い、上記操作部５の各操作キー１０・・の印刷範囲への指の接触により入力操作を検出する様に構成している。
【００２３】
これらの構成により、例えば扉２を開くと後述の制御回路によりこれを検出し、図５（ａ）にて示す様に第１導光板４０を補助的に入力する意味で例えば青色に発光して、ロックキー２１と音声キー２２と操作パネルキー２３を青色に発光すると共に、第２，第３，第８導光板４１，４２，４７を、最初に選択入力を行なうものとして例えば白色に点灯して、自動調理キー２４と手動調理キー２５と取消しキー３３を白色に発光する。
【００２４】
次いで、例えば自動調理キー２４がオン操作されて自動調理が選択されると、同じく（ｂ）にて示す様に選択された自動調理キー２４は白色のまま継続して点灯すると共に、表示器４に自動メニュー６・・を表示し、自動調理キー２４のオン操作により自動調理メニューを選択する様に構成し、かつ手動調理キー２５と仕上がりキー２６を例えば紫色に変更して、修正入力が行なえる様に表示する。
【００２５】
又、次に入力操作を行なうスタートキー３２と取消しキー３３を白色に発光し、次に操作を行なうキーを明確に表示する。
【００２６】
そして、自動調理メニューが確定すると、スタートキー３２をオン操作することで、図５（ｃ）にて示す様にスタートキー３２を例えばオレンジ色に変更して調理中を表示すると共に、自動調理キー２４をそのまま白色で表示して自動調理が実行されている旨を表示し、かつ操作が不要となった手動調理キー２５と仕上がりキー２６を消灯する。
【００２７】
これらの構成により、入力操作状況に応じて、入力が可能な操作キーのみ表示させると共に、次に操作を行なうキーを発光色を変えて表示することで、操作を行なうキーの選択が容易となり、操作性を大幅に向上させる事が出来るものである。
【００２８】
一方、上記図５（ａ）において手動調理キー２５がオン操作されて手動調理が選択された場合には、例えば同図（ｄ）にて示す様に手動調理キー２５と時間キー２９，３０，３１を白色に表示してこれらを選択入力する様に表示し、自動調理キー２４と仕上がりキー２６とを例えば紫色に変更して、修正入力が行なえる様に表示する。
【００２９】
次いで、時間キー２９，３０，３１を操作して調理時間を設定すれば、同図（ｅ）にて示す様にスタートキー３２が白色に発光してこれを選択入力する様に表示するので、スタートキーをオン操作すれば調理を開始する。
【００３０】
更に、上記図５（ａ）において手動調理キー２５を複数回オン操作して（ｆ）にて示す様にオーブン調理を選択すると、温度キー２７，２８を白色で表示してこれらを次に選択入力する様に表示し、ここでこれらの温度キーを操作して調理温度を設定すると、（ｇ）にて示す様に時間キー２９，３０，３１を白色に表示してこれらを入力する様に表示する。
【００３１】
そして、上記（ｇ）にて時間キー２９，３０，３１を操作して調理時間を設定入力すると、（ｈ）にて示す様にスタートキー３２を白色に発光してこれを操作すべく表示するので、ここでスタートキーをオン操作すればオーブン調理を開始する。
【００３２】
上記の様に、例えばオーブン調理を行なう場合には、手動調理キー２５、温度キー２７，２８、時間キー２９，３０，３１、スタートキー３２と、これらのキーを上から下側に順次操作する様に構成したことで、次に操作するキーを捜す時間を大幅に短縮し、操作性を向上する事が出来る。
【００３３】
上記実施例の場合には、オーブン調理の時に上から下向きに操作する様に構成しているが、これに限定することなく、使用頻度が高いと思われる調理に設定することで、更に使い勝手を良くする事が出来るものである。
【００３４】
尚、上記実施例における各操作キーの配置や発光色は一例を示すもので、これらに限定されるものではなく、調理器本体１の機能等、必要に応じて変更すれば良い。
【００３５】
図５は制御手段を構成する制御回路５０の実施例を示すもので、商用の交流電源５１に扉２の開閉に応じて接点を開閉するドアスイッチ５２を介して電源回路５３を接続していると共に、この電源回路の出力にマイクロコンピュータ５４を接続している。
【００３６】
又、上記マイクロコンピュータ５４の出力ポートには、上記表示器４を駆動する表示回路５５と、ブザー５６を作動するブザー回路５７と、上記操作パネル３を電動により斜めに傾斜するモータ５８を駆動するモータ駆動回路５９と、上記調理器本体１の熱源となる図示しないガスバーナへの燃料供給を制御する電磁弁６０を駆動する電磁弁駆動回路６１と、上記ガスバーナの点火用の点火器６２を作動する点火器駆動回路６３と、扉２の内部に形成した図示しない調理室を照明する庫内灯６４を点滅する庫内灯駆動回路６５とを接続し、同じく入力ポートには、扉２の開閉を検出するドア開閉検出回路６６の出力と、上記操作基板４９に構成され、操作部５に配置した各操作キー１０・・の入力を検出するキー入力回路６７の出力と、上記図示しない調理室の温度を検出する庫内温度検出回路６８の出力と、ガスバーナの点火を検出する炎検出回路６９の出力とを接続していると共に、入出ポートにはデータ記憶用のメモリ７０を接続している。
【００３７】
尚、７１は上記マイクロコンピュータ５４の出力ポートに接続した自己保持回路で、その出力にて上記ドアスイッチ５２に並列接続した自己保持用のリレー接点７２を駆動するもので、扉２が開かれてドアスイッチ５２が閉じ、電源回路５３よりマイクロコンピュータ５４に通電されると、自己保持回路の出力にてリレー接点７２を閉じ、調理の開始等により扉２が閉じてドアスイッチ５２が開いても、リレー接点７２を介して電源回路５３に通電し、調理を継続する様に構成している。
【００３８】
又、上記マイクロコンピュータ５４は、調理が終了して所定時間経過した場合や、扉２が閉じられてから所定時間経過しても操作部５に配置した各操作キーの入力操作が無い場合には、上記リレー接点７２を開いて電源回路５３への通電を遮断し、所謂待機時には電力を消費しない様に構成している。
【図面の簡単な説明】
【００３９】
【図１】本発明の実施例を示す正面図である。
【図２】同じく操作パネルの正面図である。
【図３】同じく要部の正面図（ａ）と斜視図（ｂ）である。
【図４】同じく操作手順を示す操作パネルの正面図である。
【図５】同じく回路ブロック図である。
【符号の説明】
【００４０】
１    調理器本体
３    操作パネル
１０  操作キー
４８  ＬＥＤランプ
５０  制御回路（制御手段）
【図１】
0004660327.tif 000002
【図２】
0004660327.tif 000003
【図３】
0004660327.tif 000004
【図５】
0004660327.tif 000005
【図４】
0004660327.tif 000006